(57)【要約】      （修正有）【課題】簡単にオブジェクトデータをユーザの所望の形に成形することができる表示システム、表示制御装置及び表示方法を提供する。【解決手段】表示制御装置２００は、オブジェクトデータをタッチパネルディスプレイ装置３００に表示する。指定操作に応じて、表示されたオブジェクトデータを構成する複数の成分に対してユーザの所望の数値を設定するための設定画面をタッチパネルディスプレイ装置３００に表示する。設定画面が表す複数の成分のうちの少なくとも１つの成分に対して入力された設定値に基づいて、表示されたオブジェクトデータを作図データとして成形する。【選択図】図１
2018010456.tif 000002
【特許請求の範囲】
【請求項１】
表示装置を制御する表示制御装置であって、
指定操作に応じて、前記表示装置に表示されたオブジェクトデータを構成する複数の成分に対してユーザの所望の数値を設定するための設定画面を前記表示装置に表示する設定画面表示制御部と、
前記設定画面が表す前記複数の成分のうちの少なくとも１つの成分に対して入力された設定値に基づいて、前記表示装置に表示された前記オブジェクトデータを作図データとして成形する成形制御部と、
を具備することを特徴とする表示制御装置。
【請求項２】
前記指定操作は、前記オブジェクトデータに対する第１のジェスチャー操作であることを特徴とする請求項１に記載の表示制御装置。
【請求項３】
複数のオブジェクトデータを表すオブジェクトツールを前記表示装置の第１の表示領域に表示するオブジェクトツール表示制御部と、
選択操作に応じて、前記第１の表示領域に表示された前記オブジェクトツール内の各オブジェクトデータを前記表示装置の第２の表示領域に表示する選択オブジェクトデータ表示制御部と、
を更に具備し、
前記設定画面表示制御部は、前記指定操作に応じて、前記設定画面を前記表示装置の第３の表示領域に表示することを特徴とする請求項１または２に記載の表示制御装置。
【請求項４】
前記選択操作は、前記第１の表示領域に表示された前記オブジェクトツール内の各オブジェクトデータを前記第１の表示領域から前記第２の表示領域に移動させて配置するドラッグ・アンド・ドロップ操作であることを特徴とする請求項３に記載の表示制御装置。
【請求項５】
前記選択操作は、前記第１の表示領域に表示された前記オブジェクトツール内の前記１つのオブジェクトデータに対する第２のジェスチャー操作であることを特徴とする請求項３に記載の表示制御装置。
【請求項６】
前記成形制御部は、前記作図データを、前記少なくとも１つの成分に設定された前記設定値と共に表示することを特徴とする請求項１から５のいずれか一項に記載の表示制御装置。
【請求項７】
前記成形制御部は、前記作図データを表示しているときに成分表示指示が行われた場合、前記少なくとも１つの成分に設定された前記設定値を、前記作図データと共に表示することを特徴とする請求項６に記載の表示制御装置。
【請求項８】
前記成分表示指示は、前記作図データの前記少なくとも１つの成分に対する第３のジェスチャー操作であることを特徴とする請求項７に記載の表示制御装置。
【請求項９】
前記成形制御部は、前記作図データを表示しているときに、前記作図データの各成分に対して変形指示が行われた場合、前記変形指示に基づいて、前記作図データを変形することを特徴とする請求項１から８のいずれか一項に記載の表示制御装置。
【請求項１０】
前記変形指示は、前記作図データの各成分を第１の位置から第２の位置に移動させる操作であることを特徴とする請求項９に記載の表示制御装置。
【請求項１１】
前記変形指示は、前記作図データの各成分に対する前記設定値の再入力であることを特徴とする請求項９に記載の表示制御装置。
【請求項１２】
表示装置と、
前記表示装置を制御する請求項１〜１１に記載の表示制御装置と、
を具備することを特徴とする表示システム。
【請求項１３】
指定操作に応じて、表示装置に表示されたオブジェクトデータを構成する複数の成分に対してユーザの所望の数値を設定するための設定画面を前記表示装置に表示するステップと、
前記設定画面が表す前記複数の成分のうちの少なくとも１つの成分に対して入力された設定値に基づいて、前記表示装置に表示された前記オブジェクトデータを作図データとして成形するステップと、
を具備することを特徴とする表示方法。
【発明の詳細な説明】
【技術分野】
【０００１】
本発明は、ユーザが作図したときのオブジェクトデータを表示装置に表示する表示システムなどに関する。
【背景技術】
【０００２】
近年、教室やオフィスでは、インタラクティブ・ホワイトボード（Interactive Whiteboard）（通称：ＩＷＢ）を含む電子黒板が使用されている。ユーザ（例えば、教室の場合は先生）が、教室の電子黒板に対して、ペンにより平面図形などのオブジェクトデータを入力（作図）したとき、そのオブジェクトデータが上記電子黒板に表示される。ユーザは、その教室の電子黒板に表示されたオブジェクトデータを用いて、相手（例えば、教室の場合は生徒）に対して授業を行なうことができる。しかし、ユーザにとっては、ペンにより図形などのオブジェクトデータを作図することは難しい。
【０００３】
例えば、マイクロソフト社のMicrosoft Office（登録商標）の図形描画機能であるオートシェイプ機能では、ユーザは、オブジェクトツールの複数のオブジェクトデータの中から任意のオブジェクトデータを選択することができる。しかしながら、ユーザ（先生）は、平面図形などのオブジェクトデータに対して、線の長さや角度などを設定してユーザの所望の形に成形できないため、相手（生徒）は、実際のオブジェクトデータの形を把握しにくい。
【０００４】
また、ＣＡＤ（Computer-Aided Design）システムでは、ユーザは、平面図形などのオブジェクトデータに対して、線の長さや角度などを正確に設定することができる。しかしながら、ＣＡＤシステムは使用方法が難しいため、ＣＡＤの操作が不慣れなユーザにとっては敷居が高い。
【０００５】
特許文献１に記載の画像処理装置は、線図形等を含む図形データを手書き入力する入力手段と、上記入力手段により手書き入力された図形データに基づいて図形を表示する表示手段と、上記表示手段により表示された図形に対して変形情報を手書き入力する変形情報入力手段と、上記変形情報入力手段により手書き入力された変形情報を認識する認識手段と、上記認識手段の認識結果に基づいて、上記表示手段により表示されている図形を変形表示する変形表示手段と、を備えている。
【先行技術文献】
【特許文献】
【０００６】
【特許文献１】特開平０９−２４５１８６号公報
【発明の概要】
【発明が解決しようとする課題】
【０００７】
特許文献１に記載された技術では、ユーザは、最初に、図形を手書き入力しなければならない。すなわち、ユーザは、手書き入力しながら、線の長さや角度などを一つ一つ調整していくので、ユーザにとっては、ペンにより図形などのオブジェクトデータを作図することは難しい。
【０００８】
本発明は、上記従来の問題点に鑑みてなされたものであって、簡単にオブジェクトデータをユーザの所望の形に成形することができる表示システムなどを提供することを目的とする。
【課題を解決するための手段】
【０００９】
本発明の表示制御装置は、表示装置を制御する表示制御装置であって、指定操作に応じて、前記表示装置に表示されたオブジェクトデータを構成する複数の成分に対してユーザの所望の数値を設定するための設定画面を前記表示装置に表示する設定画面表示制御部と、前記設定画面が表す前記複数の成分のうちの少なくとも１つの成分に対して入力された設定値に基づいて、前記表示装置に表示された前記オブジェクトデータを作図データとして成形する成形制御部と、を具備することを特徴とする。
【００１０】
本発明の表示システムは、表示装置と、その表示装置を制御する上記表示制御装置と、を具備することを特徴とする。
【００１１】
本発明の表示方法は、指定操作に応じて、表示装置に表示されたオブジェクトデータを構成する複数の成分に対してユーザの所望の数値を設定するための設定画面を前記表示装置に表示するステップと、前記設定画面が表す前記複数の成分のうちの少なくとも１つの成分に対して入力された設定値に基づいて、前記表示装置に表示された前記オブジェクトデータを作図データとして成形するステップと、を具備することを特徴とする。
【発明の効果】
【００１２】
このように、本発明では、オブジェクトデータの各成分に対して設定値を入力することにより、簡単にオブジェクトデータを作図データとしてユーザの所望の形に成形することができる。
【図面の簡単な説明】
【００１３】
【図１】第１実施形態に係る表示システムの概略を説明するための図である。
【図２】第１実施形態に係る表示システムのタッチパネルディスプレイ装置の機能構成を示すブロック図である。
【図３】第１実施形態に係る表示システムの表示制御装置の機能構成を示すブロック図である。
【図４】図３のオブジェクトデータ記憶領域を示す図である。
【図５】図３の作図データ記憶領域を示す図である。
【図６】図３の座標テーブルを示す図である。
【図７】第１実施形態に係る表示システムの動作を示すフローチャートである。
【図８】第１実施形態に係る表示システムの動作を説明するための図である。
【図９】第１実施形態に係る表示システムの動作を説明するための図である。
【図１０】第１実施形態に係る表示システムの動作を説明するための図である。
【図１１】第１実施形態に係る表示システムの動作を説明するための図である。
【図１２】第１実施形態に係る表示システムの動作を説明するための図である。
【図１３】第１実施形態に係る表示システムの動作を説明するための図である。
【図１４】第１実施形態に係る表示システムの動作を説明するための図である。
【図１５】第２実施形態に係る表示システムの動作を示すフローチャートである。
【図１６】第２実施形態に係る表示システムの動作を説明するための図である。
【図１７】第３実施形態に係る表示システムの動作を説明するための図である。
【図１８】第３実施形態に係る表示システムの動作を説明するための図である。
【図１９】第３実施形態に係る表示システムの動作を説明するための図である。
【図２０】第４実施形態に係る表示システムの動作を示すフローチャートである。
【図２１】第４実施形態に係る表示システムの動作を示すフローチャートである。
【図２２】第４実施形態に係る表示システムの動作を説明するための図である。
【図２３】第５実施形態に係る表示システムの動作を説明するための図である。
【図２４】第５実施形態に係る表示システムの動作を説明するための図である。
【図２５】第５実施形態に係る表示システムの動作を説明するための図である。
【図２６】第５実施形態に係る表示システムの動作を説明するための図である。
【図２７】第６実施形態に係る表示システムの動作を説明するための図である。
【図２８】第７実施形態に係る表示システムの動作を説明するための図である。
【図２９】第７実施形態に係る表示システムの動作を説明するための図である。
【発明を実施するための形態】
【００１４】
以下に、本発明の実施の形態について、図を参照しながら詳細に説明する。以下の説明では、本発明の表示システムを例に説明する。なお、本実施形態は、本発明を説明するための一例であり、実施形態の内容に限定されないことは勿論である。
【００１５】
［１．  第１実施形態］
まず、第１実施形態について説明する。第１実施形態では、ユーザがオブジェクトツールの複数のオブジェクトデータの中から任意のオブジェクトデータを選択し、そのオブジェクトデータの各成分に対して設定値を入力することにより、そのオブジェクトデータを作図データとして成形する。
【００１６】
複数のオブジェクトデータの各々は、図形、グラフ、教育で利用される図などを表すデータである。ここで、図形を表すデータとは、平面図形や、立方体や円柱で例示される立体図形などを含んでいる。グラフを表すデータとは、円グラフや帯グラフなどを含んでいる。教育で利用される図とは、線分図やテープ図などを含んでいる。
【００１７】
［１．１  全体構成］
まず、全体構成について図１を参照して説明する。図１は、第１実施形態に係る表示システムの概略を説明するための図である。表示システムは、タッチペン１００と、表示制御装置２００と、タッチパネルディスプレイ装置３００と、を具備している。
【００１８】
タッチパネルディスプレイ装置３００は、電子黒板やＩＷＢとして使用される。例えば、タッチパネルディスプレイ装置３００は教室に設置されている。タッチペン１００は、タッチパネルディスプレイ装置３００に対して使用される。
【００１９】
表示制御装置２００は、タッチパネルディスプレイ装置３００を制御する。例えば、図１では、教室において、タッチパネルディスプレイ装置３００には表示制御装置２００が接続されている。
【００２０】
［１．２  機能構成］
続いて、各装置の機能構成について図を参照して説明する。
【００２１】
［１．２．１  タッチパネルディスプレイ装置３００］
図２は、第１実施形態に係る表示システムのタッチパネルディスプレイ装置３００の機能構成を示すブロック図である。図２に示すように、タッチパネルディスプレイ装置３００は、表示部３１０と、入力検知部３２０とを備えている。
【００２２】
表示部３１０は、液晶ディスプレイ（ＬＣＤ；Liquid Crystal Display）である。その表示部３１０は、地面に対して垂直あるいは垂直に近い状態で設置される。または、テーブルのように、地面に対して水平或いは水平に近い状態で設置される。
【００２３】
入力検知部３２０は、タッチパネルである。例えば、入力検知部３２０は、座標を形成するように、表示部３１０にマトリクス状に配置された静電容量センサを備えている。静電容量センサは、ユーザが指示媒体（タッチペン１００またはユーザの指先）を用いて表示部３１０に対して入力操作を行なったときに、表示部３１０に対するユーザの入力を検出することができる。
【００２４】
［１．２．２  表示制御装置２００］
図３は、第１実施形態に係る表示システムの表示制御装置２００の機能構成を示すブロック図である。図３に示すように、表示制御装置２００は、制御部２１０と、記憶部２２０と、通信部２３０とを備えている。
【００２５】
制御部２１０は、表示制御装置２００の全体を制御するための機能部である。制御部２１０は、記憶部２２０に記憶されている各種プログラムを読み出して実行することにより各種機能を実現しており、例えばＣＰＵ（Central Processing Unit）等により構成されている。
【００２６】
記憶部２２０は、表示制御装置２００の動作に必要な各種プログラムや、各種データが記憶されている機能部である。記憶部２２０は、例えば、半導体メモリや、ＨＤＤ（Hard Disk Drive）等により構成されている。
【００２７】
また、記憶部２２０は、オブジェクトデータ記憶領域２２２と、作図データ記憶領域２２４と、を備えている。更に、記憶部２２０は、後述の座標テーブル２２６を備えている。
【００２８】
通信部２３０は、タッチパネルを動作させるためのタッチパネル信号を、ＵＳＢ（Universal Serial Bus）信号として、入力検知部３２０（タッチパネル）に出力する。また、通信部２３０は、ＵＳＢ信号により、Ｂｌｕｅｔｏｏｔｈ（登録商標）やＺｉｇＢｅｅのような近距離無線通信をタッチペン１００と行なう。
【００２９】
文字認識部２４０は、手書き又はペン入力された文字（ストロークデータ）に対して光学文字認識（Optical Character Recognition）（一般的にＯＣＲと略される）を施して、コンピュータが編集可能な文字である認識文字に変換する。
【００３０】
図４は、図３のオブジェクトデータ記憶領域２２２を示す図である。オブジェクトデータ記憶領域２２２は、基本となるオブジェクトデータである複数のオブジェクトデータを記憶する領域である。本実施形態では、複数のオブジェクトデータは平面図形を表すものとする。平面図形を表すオブジェクトデータとしては、円、楕円、正方形、長方形、三角形などが例示される。
【００３１】
図５は、図３の作図データ記憶領域２２４を示す図である。作図データ記憶領域２２４は、ユーザにより作成されたオブジェクトデータを、作図データとして保存（記憶）する領域である。
【００３２】
図６は、図３の座標テーブル２２６を示す図である。座標テーブル２２０は、後述の詳細設定画面Ｗ３０（図１２を参照）、その詳細設定画面Ｗ３０の入力欄Ｒ３２（図１２を参照）に対して、Ｘ座標、Ｙ座標を表すデータを記憶している。入力欄Ｒ３２は、オブジェクトデータを構成する複数の成分「Ａ」〜「Ｉ」の各々に対して割り当てられた欄である。
【００３３】
例えば、詳細設定画面Ｗ３０には、Ｘ座標の最小値「Ｘ０」、Ｘ座標の最大値「Ｘｍａｘ」、Ｙ座標の最小値「Ｙ０」、Ｙ座標の最大値「Ｙｍａｘ」が対応付けられている。
【００３４】
入力欄Ｒ３２のうちの、成分「Ａ」に対して割り当てられた欄には、Ｘ座標の最小値「Ｘ１００」、Ｘ座標の最大値「Ｘ１０１」、Ｙ座標の最小値「Ｙ１００」、Ｙ座標の最大値「Ｙ１０１」が対応付けられている。入力欄Ｒ３２のうちの、成分「Ｂ」に対して割り当てられた欄には、Ｘ座標の最小値「Ｘ１００」、Ｘ座標の最大値「Ｘ１０１」、Ｙ座標の最小値「Ｙ１０１」、Ｙ座標の最大値「Ｙ１０２」が対応付けられている。入力欄Ｒ３２のうちの、成分「Ｃ」に対して割り当てられた欄には、Ｘ座標の最小値「Ｘ１００」、Ｘ座標の最大値「Ｘ１０１」、Ｙ座標の最小値「Ｙ１０２」、Ｙ座標の最大値「Ｙ１０３」が対応付けられている。
【００３５】
入力欄Ｒ３２のうちの、成分「Ｄ」に対して割り当てられた欄には、Ｘ座標の最小値「Ｘ１００」、Ｘ座標の最大値「Ｘ１０１」、Ｙ座標の最小値「Ｙ１０３」、Ｙ座標の最大値「Ｙ１０４」が対応付けられている。入力欄Ｒ３２のうちの、成分「Ｅ」に対して割り当てられた欄には、Ｘ座標の最小値「Ｘ１００」、Ｘ座標の最大値「Ｘ１０１」、Ｙ座標の最小値「Ｙ１０４」、Ｙ座標の最大値「Ｙ１０５」が対応付けられている。入力欄Ｒ３２のうちの、成分「Ｆ」に対して割り当てられた欄には、Ｘ座標の最小値「Ｘ１００」、Ｘ座標の最大値「Ｘ１０１」、Ｙ座標の最小値「Ｙ１０５」、Ｙ座標の最大値「Ｙ１０６」が対応付けられている。
【００３６】
入力欄Ｒ３２のうちの、成分「Ｇ」に対して割り当てられた欄には、Ｘ座標の最小値「Ｘ１００」、Ｘ座標の最大値「Ｘ１０１」、Ｙ座標の最小値「Ｙ１０６」、Ｙ座標の最大値「Ｙ１０７」が対応付けられている。入力欄Ｒ３２のうちの、成分「Ｈ」に対して割り当てられた欄には、Ｘ座標の最小値「Ｘ１００」、Ｘ座標の最大値「Ｘ１０１」、Ｙ座標の最小値「Ｙ１０７」、Ｙ座標の最大値「Ｙ１０８」が対応付けられている。入力欄Ｒ３２のうちの、成分「Ｉ」に対して割り当てられた欄には、Ｘ座標の最小値「Ｘ１００」、Ｘ座標の最大値「Ｘ１０１」、Ｙ座標の最小値「Ｙ１０８」、Ｙ座標の最大値「Ｙ１０９」が対応付けられている。
【００３７】
［１．３  処理の流れ］
続いて、本実施形態における処理の流れについて、図を参照して説明する。
【００３８】
図７は、第１実施形態に係る表示システムの動作を示すフローチャートである。図８〜１４は、第１実施形態に係る表示システムの動作を説明するための図である。
【００３９】
図８に示すように、制御部２１０（図３）は、オブジェクトツールＯＢＴをタッチパネルディスプレイ装置３００の第１の表示領域ＡＲ１に表示する（図７のステップＳ１００）。オブジェクトツールＯＢＴは、記憶部２２０（図３）のオブジェクトデータ記憶領域２２２（図３、４）に記憶された複数のオブジェクトデータを表している。
【００４０】
次に、図９に示すように、ユーザは、第１の表示領域ＡＲ１に表示されたオブジェクトツールＯＢＴ内の各オブジェクトデータを選択するための選択操作を行なう（図７のステップＳ１０２−Ｙｅｓ）。
【００４１】
選択操作は、図９に示すように、第１の表示領域ＡＲ１に表示されたオブジェクトツールＯＢＴ内の各オブジェクトデータ（例えば、三角形を表すオブジェクトデータＯＢ１）を第１の表示領域ＡＲ１から第２の表示領域ＡＲ２に移動させて配置するドラッグ・アンド・ドロップ操作である。この場合、第２の表示領域ＡＲ２は、ユーザがタッチパネルディスプレイ装置３００上でオブジェクトデータＯＢ１をドロップした位置により決定される。
【００４２】
また、選択操作は、第１の表示領域ＡＲ１に表示されたオブジェクトツールＯＢＴ内の各オブジェクトデータ（この場合、オブジェクトデータＯＢ１）に対する特定のジェスチャー操作（例えば、第１の表示領域ＡＲ１から第２の表示領域ＡＲ２への「フリック」、「スワイプ」）であってもよい。この場合、第２の表示領域ＡＲ２は、ユーザがタッチパネルディスプレイ装置３００上でオブジェクトデータＯＢ１をフリックやスワイプした方向により決定される。
【００４３】
図１０に示すように、制御部２１０は、ユーザにより選択操作が行われたとき、第１の表示領域ＡＲ１に表示されたオブジェクトツールＯＢＴ内の各オブジェクトデータ（この場合、オブジェクトデータＯＢ１）をタッチパネルディスプレイ装置３００の第２の表示領域ＡＲ２に表示する（図７のステップＳ１０４）。
【００４４】
次に、図１１に示すように、ユーザは、第２の表示領域ＡＲ２に表示されたオブジェクトデータＯＢ１を指定するための指定操作を行なう（図７のステップＳ１０６−Ｙｅｓ）。指定操作は、図１１に示すように、第２の表示領域ＡＲ２に表示されたオブジェクトデータＯＢ１に対する特定のジェスチャー操作（例えば、「長押し」、「ダブルタップ」）であってもよいし、他の方法であってもよい。
【００４５】
図１２に示すように、制御部２１０は、ユーザにより指定操作が行われたとき、設定画面Ｗ３０をタッチパネルディスプレイ装置３００の第３の表示領域ＡＲ３に表示する（図７のステップＳ１０８）。ステップＳ１０８において、制御部２１０は、第１の表示領域Ｒ１０の表示を終了する。すなわち、オブジェクトツールＯＢＴ（図１１）の表示を終了する。
【００４６】
図１２に示すように、設定画面Ｗ３０は、第２の表示領域ＡＲ２に表示されたオブジェクトデータＯＢ１を構成する複数の成分「Ａ」〜「Ｉ」に対して、ユーザの所望の数値を設定するための画面である。設定画面Ｗ３０は、成分表示欄Ｒ３０と、入力欄Ｒ３２と、ＯＫボタンＢ３０と、キャンセルボタンＢ３２と、を含んでいる。成分表示欄Ｒ３０は、ユーザにより指定されたオブジェクトデータＯＢ１を構成する複数の成分「Ａ」〜「Ｉ」を表している。入力欄Ｒ３２は、複数の成分「Ａ」〜「Ｉ」に対してそれぞれ割り当てられ、ユーザの所望の数値を設定可能である。
【００４７】
図１２に示すように、複数の成分「Ａ」〜「Ｉ」は、それぞれ、オブジェクトデータ「三角形」の第１辺、第２辺、第３辺、第１頂点、第２頂点、第３頂点、第１線分、第２線分、第３線分を表している。第１頂点を表す成分「Ｄ」は、第２辺を表す成分「Ｂ」と第３辺を表す成分「Ｃ」との成す角度を表している。第２頂点を表す成分「Ｅ」は、第１辺を表す成分「Ａ」と第３辺を表す成分「Ｃ」との成す角度を表している。第３頂点を表す成分「Ｆ」は、第１辺を表す成分「Ａ」と第２辺を表す成分「Ｂ」との成す角度を表している。第１線分を表す成分「Ｇ」は、第１頂点を表す成分「Ｄ」から第１辺を表す成分「Ａ」まで、第１辺を表す成分「Ａ」に対して垂直に延びる線を表している。第２線分を表す成分「Ｈ」は、第２頂点を表す成分「Ｅ」から第２辺を表す成分「Ｂ」まで、第２辺を表す成分「Ｂ」に対して垂直に延びる線を表している。第３線分を表す成分「Ｉ」は、第３頂点を表す成分「Ｆ」から第３辺を表す成分「Ｃ」まで、第３辺を表す成分「Ｃ」に対して垂直に延びる線を表している。
【００４８】
図１３に示すように、ユーザは、設定画面Ｗ３０の入力欄Ｒ３２に割り当てられた複数の成分「Ａ」〜「Ｉ」のうちの少なくとも１つの成分「Ｃ」、「Ｆ」、「Ｉ」に対してそれぞれ設定値「５」、「９０」、「２」を手書き入力する（図７のステップＳ１１０）。この場合、文字認識部１７０は、入力欄Ｒ３２の少なくとも１つの成分「Ｃ」、「Ｆ」、「Ｉ」にそれぞれ手書き入力された設定値「５」、「９０」、「２」に対して文字認識を施す（図７のステップＳ１１２）。
【００４９】
具体的には、文字認識部１７０は、入力欄Ｒ３２のうちの、成分「Ｃ」に対して割り当てられた欄として、座標（Ｘ１００、Ｙ１０２）（Ｘ１０１、Ｙ１０２）（Ｘ１００、Ｙ１０３）（Ｘ１０１、Ｙ１０３）に手書き入力されたことを認識する。文字認識部１７０は、成分「Ｃ」に対して割り当てられた欄に手書き入力された設定値「５」に対して文字認識を施す。
【００５０】
同様に、文字認識部１７０は、入力欄Ｒ３２のうちの、成分「Ｆ」に対して割り当てられた欄として、座標（Ｘ１００、Ｙ１０５）（Ｘ１０１、Ｙ１０５）（Ｘ１００、Ｙ１０６）（Ｘ１０１、Ｙ１０６）に手書き入力されたことを認識する。文字認識部１７０は、成分「Ｆ」に対して割り当てられた欄に手書き入力された設定値「９０」に対して文字認識を施す。
【００５１】
同様に、文字認識部１７０は、入力欄Ｒ３２のうちの、成分「Ｉ」に対して割り当てられた欄として、座標（Ｘ１００、Ｙ１０８）（Ｘ１０１、Ｙ１０８）（Ｘ１００、Ｙ１０９）（Ｘ１０１、Ｙ１０９）に手書き入力されたことを認識する。文字認識部１７０は、成分「Ｉ」に対して割り当てられた欄に手書き入力された設定値「２」に対して文字認識を施す。
【００５２】
ユーザは、設定画面Ｗ３０の入力欄Ｒ３２に割り当てられた少なくとも１つの成分「Ｃ」、「Ｆ」、「Ｉ」に対してそれぞれ設定値「５」、「９０」、「２」を手書き入力した後に、ＯＫボタンＢ３０を操作する。
【００５３】
ここで、設定値が極端に大きい場合や極端に小さい場合など適切ではない場合（図７のステップＳ１１４−Ｎｏ）、ステップＳ１１０に戻る。また、文字認識を施した結果、認識できない設定値が存在する場合でもステップＳ１１０に戻る。
【００５４】
一方、設定値が適切である場合（図７のステップＳ１１４−Ｙｅｓ）、図１４に示すように、制御部２１０は、少なくとも１つの成分「Ｃ」、「Ｆ」、「Ｉ」に対して入力され、かつ、文字認識が施された設定値「５」、「９０」、「２」に基づいて、第２の表示領域ＡＲ２に表示されたオブジェクトデータＯＢ１（図１３）を作図データＤＦ１として成形してタッチパネルディスプレイ装置３００に表示する（図７のステップＳ１１６）。ステップＳ１１６において、制御部２１０は、第２の表示領域Ｒ２０（図１３）の表示と、第３の表示領域Ｒ３０（図１３）の表示とを終了する。すなわち、指定されたオブジェクトデータＯＢ１の表示と、設定画面Ｗ３０の表示とを終了する。
【００５５】
作図データＤＦ１は、底辺の長さを５ｃｍとし、高さを２ｃｍとし、その頂点の角度を９０度とする三角形を表すオブジェクトデータである。底辺の長さである５ｃｍは、成分「Ｃ」に対して入力され、かつ、文字認識が施された設定値「５」に相当する。高さである２ｃｍは、成分「Ｉ」に対して入力され、かつ、文字認識が施された設定値「２」に相当する。頂点の角度である９０度は、成分「Ｆ」に対して入力され、かつ、文字認識が施された設定値「９０」に相当する。
【００５６】
制御部２１０は、ユーザの保存指示により、作図データＤＦ１を記憶部２２０の作図データ記憶領域２２４に保存（記憶）する（図７のステップＳ１１８）。
【００５７】
以上の説明により、第１実施形態に係る表示システムは、表示装置（タッチパネルディスプレイ装置３００）と、表示装置を制御する表示制御装置２００と、を具備している。表示制御装置２００は、複数のオブジェクトデータを表すオブジェクトツールＯＢＴを表示装置（タッチパネルディスプレイ装置３００）の第１の表示領域ＡＲ１に表示するオブジェクトツール表示制御部（制御部２１０）と、ユーザの選択操作に応じて、第１の表示領域ＡＲ１に表示されたオブジェクトツールＯＢＴ内の各オブジェクトデータ（オブジェクトデータＯＢ１）を表示装置（タッチパネルディスプレイ装置３００）の第２の表示領域ＡＲ２に表示する選択オブジェクトデータ表示制御部（制御部２１０）と、指定操作に応じて、第２の表示領域ＡＲ２に表示されたオブジェクトデータＯＢ１を構成する複数の成分「Ａ」〜「Ｉ」に対してユーザの所望の数値を設定するための設定画面Ｗ３０を表示装置（タッチパネルディスプレイ装置３００）の第３の表示領域ＡＲ３に表示する設定画面表示制御部（制御部２１０）と、設定画面Ｗ３０が表す複数の成分「Ａ」〜「Ｉ」のうちの少なくとも１つの成分「Ｃ」、「Ｆ」、「Ｉ」に対して入力された設定値「５」、「９０」、「２」に基づいて、第２の表示領域ＡＲ２に表示されたオブジェクトデータＯＢ１を作図データＤＦ１として成形する成形制御部（制御部２１０）と、を具備している。
【００５８】
ここで、選択操作は、第１の表示領域ＡＲ１に表示されたオブジェクトツールＯＢＴ内の各オブジェクトデータ（オブジェクトデータＯＢ１）を第１の表示領域ＡＲ１から第２の表示領域ＡＲ２に移動させて配置するドラッグ・アンド・ドロップ操作である。または、選択操作は、第１の表示領域ＡＲ１に表示されたオブジェクトツールＯＢＴ内の各オブジェクトデータ（オブジェクトデータＯＢ１）に対する特定のジェスチャー操作（例えば、「フリック」、「スワイプ」）である。
【００５９】
また、指定操作は、第２の表示領域ＡＲ２に表示されたオブジェクトデータＯＢ１に対する特定のジェスチャー操作（例えば、「長押し」、「ダブルタップ」）である。
【００６０】
このように、第１実施形態に係る表示システムでは、オブジェクトデータＯＢ１の各成分に対して設定値を入力することにより、簡単にオブジェクトデータＯＢ１を作図データＤＦ１としてユーザの所望の形に成形することができる。
【００６１】
また、第１実施形態に係る表示システムでは、ユーザがオブジェクトツールＯＢＴの複数のオブジェクトデータの中から任意のオブジェクトデータＯＢ１を選択し、そのオブジェクトデータＯＢ１の各成分に対して設定値を入力することにより、手書き入力することなく図形などのオブジェクトデータＯＢ１を表示することができ、簡単にオブジェクトデータＯＢ１を作図データＤＦ１としてユーザの所望の形に成形することができる。
【００６２】
［２．  第２実施形態］
続いて、第２実施形態について説明する。第２実施形態では、少なくとも１つの成分「Ｃ」、「Ｆ」、「Ｉ」にそれぞれ設定された設定値「５」、「９０」、「２」は、作図データＤＦ１と共に表示される。第２実施形態では、第１実施形態と同一の処理については、同一の符号を付すことにより、その詳細な説明を省略する。
【００６３】
図１５は、第２実施形態に係る表示システムの動作を示すフローチャートである。図１６は、第２実施形態に係る表示システムの動作を説明するための図である。
【００６４】
第２実施形態では、第１実施形態のステップＳ１１６（図７）に代えて、図１５のステップＳ２００が実行される。すなわち、制御部２１０は、少なくとも１つの成分「Ｃ」、「Ｆ」、「Ｉ」に対して入力され、かつ、文字認識が施された設定値「５」、「９０」、「２」に基づいて、ユーザにより指定されたオブジェクトデータＯＢ１（図１３）を作図データＤＦ１として成形してタッチパネルディスプレイ装置３００に表示すると共に、少なくとも１つの成分「Ｃ」、「Ｆ」、「Ｉ」に対して設定された設定値「５」、「９０」、「２」をタッチパネルディスプレイ装置３００に表示する（図７のステップＳ２００）。
【００６５】
この場合、図１６に示すように、作図データＤＦ１の少なくとも１つの成分「Ｃ」、「Ｆ」、「Ｉ」にそれぞれ設定された設定値「５」、「９０」、「２」として、底辺の長さが５ｃｍであり、高さが２ｃｍであり、その頂点の角度が９０度であることが、作図データＤＦ１の少なくとも１つの成分「Ｃ」、「Ｆ」、「Ｉ」に相当する位置に表示される。
【００６６】
このように、第２実施形態に係る表示システムでは、少なくとも１つの成分「Ｃ」、「Ｆ」、「Ｉ」にそれぞれ設定された設定値「５」、「９０」、「２」が作図データＤＦ１と共に表示されることにより、第１実施形態の効果に加えて、作図データＤＦ１に対して適切に成分（設定値）を表示することができる。
【００６７】
［３．  第３実施形態］
続いて、第３実施形態について説明する。第３実施形態では、少なくとも１つの成分「Ｃ」、「Ｆ」、「Ｉ」にそれぞれ設定された設定値「５」、「９０」、「２」は、作図データＤＦ１が表示された後に表示される。第３実施形態では、第２実施形態と同一の処理については、同一の符号を付すことにより、その詳細な説明を省略する。
【００６８】
ステップＳ２００（図１５）において、制御部２１０は、作図データＤＦ１をタッチパネルディスプレイ装置３００に表示しているときに、ユーザにより成分表示指示が行われた場合、少なくとも１つの成分「Ｃ」、「Ｆ」、「Ｉ」にそれぞれ設定された設定値「５」、「９０」、「２」を、作図データＤＦ１と共にタッチパネルディスプレイ装置３００に表示する。
【００６９】
ここで、成分表示指示は、作図データＤＦ１の少なくとも１つの成分「Ｃ」、「Ｆ」、「Ｉ」に対する特定のジェスチャー操作（例えば、「ダブルタップ」）であってもよいし、他の方法であってもよい。そのジェスチャー操作は、例えば、前述の選択操作や指定操作と区別がつけば、「ダブルタップ」ではなく、「長押し」、「フリック」、「スワイプ」であってもよい。
【００７０】
図１７〜１９は、第３実施形態に係る表示システムの動作を説明するための図である。例えば、図１７に示すように、ユーザがタッチパネルディスプレイ装置３００上で作図データＤＦ１の成分「Ｆ」に相当する位置をダブルタップした場合、成分「Ｆ」に設定された設定値「９０」として、頂点の角度が９０度であることが、作図データＤＦ１の成分「Ｆ」に相当する位置に表示される。図１８に示すように、ユーザがタッチパネルディスプレイ装置３００上で作図データＤＦ１の成分「Ｃ」に相当する位置をダブルタップした場合、成分「Ｃ」に設定された設定値「５」として、底辺の長さが５ｃｍであることが、作図データＤＦ１の成分「Ｃ」に相当する位置に表示される。図１９に示すように、ユーザがタッチパネルディスプレイ装置３００上で作図データＤＦ１の成分「Ｉ」に相当する位置をダブルタップした場合、成分「Ｉ」に設定された設定値「２」として、高さが２ｃｍであることが、作図データＤＦ１の成分「Ｉ」に相当する位置に表示される。
【００７１】
このように、第３実施形態に係る表示システムでは、少なくとも１つの成分「Ｃ」、「Ｆ」、「Ｉ」にそれぞれ設定された設定値「５」、「９０」、「２」は、作図データＤＦ１が表示された後に表示されることにより、第２実施形態の効果に加えて、例えば、ユーザ（先生）が相手（生徒）に対して教育に適した表現で表示することができる。
【００７２】
［４．  第４実施形態］
続いて、第４実施形態について説明する。第４実施形態では、作図データＤＦ１は、ユーザが操作することにより変形可能である。第４実施形態では、第１〜３実施形態と同一の処理については、同一の符号を付すことにより、その詳細な説明を省略する。
【００７３】
図２０、２１は、第４実施形態に係る表示システムの動作を示すフローチャートである。まず、ステップＳ１００〜Ｓ１１４、Ｓ２００が実行される。ここで、作図データＤＦ１の形状が変更されない場合（ステップＳ４００−Ｎｏ）、ステップＳ１１８が実行される。
【００７４】
一方、ステップＳ２００が実行された後、制御部２１０は、作図データＤＦ１をタッチパネルディスプレイ装置３００に表示しているときに、作図データＤＦ１の各成分に対してユーザにより変形指示が行われた場合（ステップＳ４００−Ｙｅｓ）、変形指示に基づいて、作図データＤＦ１を変形してタッチパネルディスプレイ装置３００に表示する。ここで、ユーザの操作により作図データＤＦ１の形状が変更された場合、制御部２１０は、表示形式を変更して、形状が変更された作図データＤＦ１をタッチパネルディスプレイ装置３００に表示する（ステップＳ４０２）。その後、ステップＳ１１８が実行される。
【００７５】
ここで、変形指示は、作図データＤＦ１の各成分を第１の位置から第２の位置に移動させる操作であってもよいし、他の方法であってもよい。その操作は、スライド操作でもよいし、特定のジェスチャー操作（例えば、「長押し」、「ダブルタップ」、「フリック」、「スワイプ」）であってもよいし、所定の軌跡（例えば、チェックマーク、丸などの図形）を描くようにタッチ位置を移動するジェスチャー操作でもよい。
【００７６】
図２２は、第４実施形態に係る表示システムの動作を説明するための図である。例えば、図２２に示すように、ユーザがタッチパネルディスプレイ装置３００上で作図データＤＦ１の成分「Ｆ」に対してスライド操作を行なう。このとき、ユーザは、作図データＤＦ１が表す三角形の高さを変えずに、三角形の頂点の位置を変えたものとする。
【００７７】
また、作図データＤＦ１の形状が変更されたことにより、作図データＤＦ１の表示形式の変更として、例えば、頂点を表す成分「Ｆ」は、辺を表す成分「Ａ」、「Ｂ」の成す角度を表しているため、成分「Ａ」、「Ｂ」の表示形式が変更される。この場合、成分「Ａ」、「Ｂ」の線の幅が、他の成分の線の幅よりも太く表示される。または、成分「Ａ」、「Ｂ」の線の色が、他の成分の線の色とは異なる色で表示される。例えば、他の成分の線の色が黒色である場合は、成分「Ａ」、「Ｂ」の線の色が赤色で表示される。または、成分「Ａ」、「Ｂ」の線が点滅表示される。または、これらの組み合わせで表示される。
【００７８】
また、ユーザは、タッチパネルディスプレイ装置３００上で作図データＤＦ１の成分「Ｆ」に対してスライド操作を行なったときに、作図データＤＦ１が表す三角形の高さを変えた場合、作図データＤＦ１の属性の変更と共に、作図データＤＦ１の表示形式が変更される。例えば、作図データＤＦ１の属性として、成分「Ｉ」に設定された設定値が「２」から「３」に変更された場合、成分「Ｉ」に設定された設定値「３」が、他の成分に設定された設定値よりも太く表示される（強調表示される）。または、成分「Ｉ」に設定された設定値「３」が、他の成分に設定された設定値の色とは異なる色で表示される。例えば、他の成分に設定された設定値の色が黒色である場合は、成分「Ｉ」に設定された設定値「３」の色が赤色で表示される。または、成分「Ｉ」に設定された設定値「３」が点滅表示される。または、これらの組み合わせで表示される。
【００７９】
このように、第４実施形態に係る表示システムでは、作図データＤＦ１は、ユーザの操作により変形可能であることにより、第１〜３実施形態の効果に加えて、作図データＤＦ１に対してユーザの所望の形状に変形することができる。
【００８０】
［５．  第５実施形態］
続いて、第５実施形態について説明する。第５実施形態では、作図データＤＦ１は、ユーザが設定値を再入力することにより変形可能である。第５実施形態では、第４実施形態と同一の処理については、同一の符号を付すことにより、その詳細な説明を省略する。
【００８１】
ステップＳ２００（図２０）が実行された後、制御部２１０は、作図データＤＦ１をタッチパネルディスプレイ装置３００に表示しているときに、作図データＤＦ１の各成分に対してユーザにより変形指示が行われた場合（図２０のステップＳ４００−Ｙｅｓ）、変形指示に基づいて、作図データＤＦ１を変形してタッチパネルディスプレイ装置３００に表示する。ここで、ユーザの操作により作図データＤＦ１の形状が変更された場合、制御部２１０は、表示形式を変更して、形状が変更された作図データＤＦ１をタッチパネルディスプレイ装置３００に表示する（図２０のステップＳ４０２）。その後、ステップＳ１１８が実行される。
【００８２】
変形指示は、作図データＤＦ１の各成分に対する設定値の再入力である。図２３〜２６は、第５実施形態に係る表示システムの動作を説明するための図である。
【００８３】
ユーザは、タッチパネルディスプレイ装置３００上の作図データＤＦ１を変形するための変形指示を行なう。変形指示は、まず、図２３に示すように、ユーザがタッチパネルディスプレイ装置３００上で作図データＤＦ１に対してジェスチャー操作を行なう。ここで、ジェスチャー操作は、特定のジェスチャー操作（例えば、「長押し」、「ダブルタップ」、「フリック」、「スワイプ」）であってもよいし、所定の軌跡（例えば、チェックマーク、丸などの図形）を描くようにタッチ位置を移動するジェスチャー操作でもよい。また、タッチパネルディスプレイ装置３００上の作図データＤＦ１の近くに、設定変更に対する受付ボタン（図示しない）が表示され、変形指示は、ユーザによる受付ボタンの操作であってもよい。
【００８４】
図２４に示すように、制御部２１０は、ユーザにより作図データＤＦ１に対して特定のジェスチャー操作（「長押し」）が行われたとき、作図データＤＦ１をタッチパネルディスプレイ装置３００の第２の表示領域ＡＲ２に表示し、設定画面Ｗ３０をタッチパネルディスプレイ装置３００の第３の表示領域ＡＲ３に表示する。
【００８５】
図２５に示すように、ユーザは、設定画面Ｗ３０の入力欄Ｒ３２に割り当てられた複数の成分「Ａ」〜「Ｉ」のうちの１つの成分「Ｆ」に対して設定値「１００」を、再度、手書き入力する（図７のステップＳ１１０）。すなわち、成分「Ｆ」に対して設定値を「９０」から「１００」に書き換える。
【００８６】
この場合、文字認識部１７０は、入力欄Ｒ３２のうちの、成分「Ｆ」に対して割り当てられた欄として、座標（Ｘ１００、Ｙ１０５）（Ｘ１０１、Ｙ１０５）（Ｘ１００、Ｙ１０６）（Ｘ１０１、Ｙ１０６）に手書き入力されたことを認識する。文字認識部１７０は、成分「Ｆ」に対して割り当てられた欄に手書き入力された設定値「１００」に対して文字認識を施す。
【００８７】
ユーザは、設定画面Ｗ３０の入力欄Ｒ３２に割り当てられた少なくとも１つの成分「Ｃ」、「Ｆ」、「Ｉ」にそれぞれ設定値「５」、「１００」、「２」を設定した後に、ＯＫボタンＢ３０を操作する。
【００８８】
設定値が適切である場合、図２６に示すように、制御部２１０は、少なくとも１つの成分「Ｃ」、「Ｆ」、「Ｉ」に対して入力され、かつ、文字認識が施された設定値「５」、「１００」、「２」に基づいて、第２の表示領域ＡＲ２に表示された作図データＤＦ１を作図データＤＦ２として変形してタッチパネルディスプレイ装置３００に表示する。このとき、制御部２１０は、第２の表示領域Ｒ２０（図２５）の表示と、第３の表示領域Ｒ３０（図２５）の表示とを終了する。すなわち、作図データＤＦ１の表示と、設定画面Ｗ３０の表示とを終了する。
【００８９】
作図データＤＦ１は、底辺の長さを５ｃｍとし、高さを２ｃｍとし、その頂点の角度を１００度とする三角形を表すオブジェクトデータである。底辺の長さである５ｃｍは、成分「Ｃ」に対して入力され、かつ、文字認識が施された設定値「５」に相当する。高さである２ｃｍは、成分「Ｉ」に対して入力され、かつ、文字認識が施された設定値「２」に相当する。頂点の角度である１００度は、成分「Ｆ」に対して入力され、かつ、文字認識が施された設定値「１００」に相当する。
【００９０】
このように、第５実施形態に係る表示システムでは、作図データＤＦ１は、ユーザが設定値を再入力することにより、第４実施形態の効果と同様に、作図データＤＦ１に対してユーザの所望の形状に変形することができる。
【００９１】
第５実施形態では、変形指示は、ユーザがタッチパネルディスプレイ装置３００上で作図データＤＦ１に対してジェスチャー操作を行なっているが、これに限定されない。例えば、変形指示としては、作図データＤＦ１全体への変更指示と、作図データＤＦ１の各成分への変更指示が挙げられる。作図データＤＦ１全体への変更指示は、ユーザが作図データＤＦ１の面積（作図データＤＦ１が立方体の場合は体積）などを変更させたいときに有効である。作図データＤＦ１の各成分への変更指示は、ユーザが作図データＤＦ１の特定の成分（辺、頂点、線分）などを変更させたいときに有効である。
【００９２】
［６．  第６実施形態］
図２７は、第６実施形態に係る表示システムの動作を説明するための図である。図２７に示すように、作図データＤＦ１が表示されたときに、その作図データＤＦ１が表す三角形の面積「５ｃｍ２」が表示されてもよい。ここで、本実施形態では、図形を表すデータが、平面図形である場合について説明しているが、これに限定されない。例えば、立方体や円柱で例示される立体図形である場合においては、体積や表面積が表示されてもよい。また、立方体や円柱で例示される立体図形である場合において、ユーザが特定のジェスチャー操作を行なうことにより、体積の表示と表面積の表示とを切り替えてもよい（例えば、体積を表示したい場合は「タップ」、表面積を表示したい場合は「ダブルタップ」など）。
【００９３】
［７．  第７実施形態］
図２８、２９は、第７実施形態に係る表示システムの動作を説明するための図である。ユーザ（先生）が相手（生徒）の学習レベルに応じて表示方法を変更することができる。例えば、生徒に平方根の知識が未だない学年の場合は、図２８に示すように、ユーザ（先生）は、作図データＤＦ１の成分「Ｄ」に対して小数点まで表示させ、生徒に平方根の知識が既にある学年の場合は、図２９に示すように、ユーザ（先生）は、作図データＤＦ１の成分「Ｄ」に対して平方根で表示させる。また、作図データＤＦ１の成分「Ｄ」に対して、ユーザが特定のジェスチャー操作を行なうことにより、小数点までの表示と平方根の表示とを切り替えてもよい（例えば、小数点まで表示したい場合は「タップ」、平方根で表示したい場合は「ダブルタップ」など）。
【００９４】
［８．変形例］
本発明は上述した各実施の形態に限定されるものではなく、種々の変更が可能である。すなわち、本発明の要旨を逸脱しない範囲内において適宜変更した技術的手段を組み合わせて得られる実施の形態についても本発明の技術的範囲に含まれる。
【００９５】
また、上述した実施形態は、説明した以外にも、矛盾のない範囲において適宜組み合わせて実行しても良いことは勿論である。
【００９６】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ（Random Access Memory））に蓄積され、その後、各種ＲＯＭ（Read Only Memory）やＨＤＤ（Hard Disc Drive）の記憶装置に格納され、必要に応じてＣＰＵによって読み出し、修正・書き込みが行なわれる。
【００９７】
ここで、プログラムを格納する記録媒体としては、半導体媒体（例えば、ＲＯＭや、不揮発性のメモリカード等）、光記録媒体・光磁気記録媒体（例えば、ＤＶＤ（Digital Versatile Disc）、ＭＯ（Magneto Optical Disc）、ＭＤ（Mini Disc）、ＣＤ（Compact Disc）、ＢＤ等）、磁気記録媒体（例えば、磁気テープ、フレキシブルディスク等）等の何れであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【００９８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【００９９】
また、上述した実施形態における各装置の一部又は全部を典型的には集積回路であるＬＳＩ（Large Scale Integration）として実現してもよい。各装置の各機能ブロックは個別にチップ化してもよいし、一部又は全部を集積してチップ化してもよい。また、集積回路化の手法はＬＳＩに限らず専用回路又は汎用プロセッサで実現しても良い。また、半導体技術の進歩によりＬＳＩに代替する集積回路化の技術が出現した場合、当該技術による集積回路を用いることも可能であることは勿論である。
【符号の説明】
【０１００】
１００  …  タッチペン
１１０  …  制御部
１２０  …  記憶部
１３０  …  通信部
２００  …  表示制御装置
２１０  …  制御部
２２０  …  記憶部
２２２  …  オブジェクトデータ記憶領域
２２４  …  作図データ記憶領域
２２６  …  座標テーブル
２３０  …  通信部
２４０  …  文字認識部
３００  …  タッチパネルディスプレイ装置（表示装置）
３１０  …  表示部
３２０  …  入力検知部（タッチパネル）
ＡＲ１  …  第１の表示領域
ＡＲ２  …  第２の表示領域
ＡＲ３  …  第３の表示領域
Ｂ３０  …  ＯＫボタン
Ｂ３２  …  キャンセルボタン
ＤＦ１  …  作図データ
ＤＦ２  …  作図データ
ＯＢ１  …  オブジェクトデータ
ＯＢＴ  …  オブジェクトツール
Ｒ３０  …  成分表示欄
Ｒ３２  …  入力欄
Ｗ３０  …  設定画面
【図１】
2018010456.tif 000003
【図２】
2018010456.tif 000004
【図３】
2018010456.tif 000005
【図４】
2018010456.tif 000006
【図５】
2018010456.tif 000007
【図６】
2018010456.tif 000008
【図７】
2018010456.tif 000009
【図８】
2018010456.tif 000010
【図９】
2018010456.tif 000011
【図１０】
2018010456.tif 000012
【図１１】
2018010456.tif 000013
【図１２】
2018010456.tif 000014
【図１３】
2018010456.tif 000015
【図１４】
2018010456.tif 000016
【図１５】
2018010456.tif 000017
【図１６】
2018010456.tif 000018
【図１７】
2018010456.tif 000019
【図１８】
2018010456.tif 000020
【図１９】
2018010456.tif 000021
【図２０】
2018010456.tif 000022
【図２１】
2018010456.tif 000023
【図２２】
2018010456.tif 000024
【図２３】
2018010456.tif 000025
【図２４】
2018010456.tif 000026
【図２５】
2018010456.tif 000027
【図２６】
2018010456.tif 000028
【図２７】
2018010456.tif 000029
【図２８】
2018010456.tif 000030
【図２９】
2018010456.tif 000031